(57)【特許請求の範囲】
【請求項１】
１単位のデータであるトラックが複数記録される記録領域と、上記トラックを管理する管理情報が記録されている管理領域と、を備えてなる記録媒体上の上記複数トラック中の所定トラックを移動元トラックとして所定の移動先トラックに移動させるとともに移動元トラックの移動に伴いトラック順序を繰上又は繰下することでトラック番号の並び換えを行う移動編集可能な編集装置において、
回転操作及び押圧操作が可能な操作手段と、
上記所定トラックに対応する移動元トラック番号と上記操作手段の回転操作に応じて指定された移動先トラック番号とが同時表示可能な表示手段と、
上記所定トラックに対応する移動元トラック番号と、上記操作手段の回転操作に応じて指定された移動先トラック番号とが上記表示手段に同時表示された状態で、上記操作手段の回転操作に応じて上記移動先トラック番号を加減制御するとともに上記表示手段の移動先トラック番号表示を増減制御し、上記操作手段の押圧操作に応じて上記移動先トラック番号を決定する制御手段と、
上記制御手段にて決定された上記移動先トラック番号に、上記移動元トラック番号で示された上記所定トラックを移動するように上記管理領域の管理情報を編集する編集手段と、
を備えてなることを特徴とする編集装置。
【請求項２】
上記操作手段による移動先トラック番号の選択操作は、上記所定トラックが再生停止下で行われることを特徴とする第１項記載の編集装置。
【請求項３】
１単位のデータであるトラックが複数記録される記録領域と、上記トラックを管理する管理情報が記録されている管理領域と、を備えてなる記録媒体上の上記複数トラック中の所定トラックを移動元トラックとして所定の移動先トラックに移動させるとともに移動元トラックの移動に伴いトラック順序を繰上又は繰下することでトラック番号の並び換えを行う移動編集可能な編集方法において、
上記所定トラックに対応する移動元トラック番号と、回転操作及び押圧操作が可能な操作部の回転操作に応じて指定された移動先トラック番号とを表示部に表示する表示ステップと、
上記操作部の回転操作に応じて上記移動先トラック番号を加減制御するとともに上記表示部の移動先トラック番号表示を増減制御する移動先トラック番号加減ステップと、
上記操作部の押圧操作に応じて上記移動先トラック番号を決定する決定ステップと、
上記決定された上記移動先トラック番号に上記所定トラックに対応する移動元トラック番号を移動するように上記管理領域の管理情報を編集する編集ステップと、
が行われることを特徴とする編集方法。
【請求項４】
上記操作部による移動先トラック番号の選択操作は、上記所定トラックが再生停止下で行われることを特徴とする第３項記載の編集方法。
【発明の詳細な説明】
【０００１】
【産業上の利用分野】
本発明はトラック単位で例えば音声データ等のデータに対する編集を行なうことができる編集装置及び編集方法に関するものである。
【０００２】
【従来の技術】
ユーザーが音楽データ等を記録することのできるデータ書き換え可能なディスクメディアが例えばミニディスクシステムとして知られており、このようなディスクメディアでは、既に楽曲等のデータが記録されているエリアや未記録エリアを管理するデータ領域（ユーザーＴＯＣ，以下Ｕ−ＴＯＣという）が設けられ、例えば記録、編集、消去等の動作の終了毎にこの管理データも書き換えられるようになされている。
【０００３】
そして、例えば或る楽曲の録音を行なおうとする際には、録音装置はＵ−ＴＯＣからディスク上の未記録エリアを探し出し、ここに音声データを記録していくようになされている。また、再生装置においては再生すべき楽曲（トラック）が記録されているエリアをＵ−ＴＯＣから判別し、そのエリアにアクセスして再生動作を行なう。
【０００４】
ところで、光磁気ディスク（ＭＯディスク）等の記録可能のディスクメディアにおいては、ＤＡＴやコンパクトカセットテープ等のテープ状記録媒体に比べてランダムアクセスがきわめて容易であり、従って、ディスク上の内周側から外周側に向かって第１トラックから第ｎトラックまで順序正しく記録して行く必要はない。つまり、各楽曲がディスク上では物理的にバラバラの位置に記録されていても、第１トラックから第ｎトラックまでの各楽曲の記録されているアドレスが管理されていくかぎり、正しい曲順で再生していくことができる。
【０００５】
さらに、例えば１つのトラック（楽曲）も必ずしも連続したセグメント（なお、セグメントとは物理的に連続したデータが記録されている部分のことをいうこととする）に記録する必要はなく、ディスク上において離散的に複数のセグメントに分けて記録してしまっても問題ない。
【０００６】
特に、光磁気ディスクから読み出されたデータを高速レートで一旦バッファＲＡＭに蓄え、バッファＲＡＭから低速レートで読出を行なって音声再生信号として復調処理していくシステムでは、セグメント間のアクセスにより、一時的に光磁気ディスクからのデータ読出が中断されてしまっても、再生音声がとぎれることなく出力することができる。
【０００７】
従って、セグメント内の記録再生動作と高速アクセス動作（バッファＲＡＭの書込レートと読出レートの差によって生じるデータ蓄積量による再生可能時間以内に終了するアクセス動作）とを繰り返していけば、１つの楽曲のトラックが複数のセグメントに別れて物理的に分割されていても楽曲の記録／再生に支障はないようにすることができる。
【０００８】
例えば図２８に示すように第１曲目がセグメントＭ1 、第２曲目がセグメントＭ2 として連続的に記録されているが、第４曲目、５曲目としてセグメントＭ4(1)〜Ｍ4(4)、Ｍ5(1)〜Ｍ5(2)に示すようにディスク上に分割して記録されることも可能である。（なお、図２８はあくまでも模式的に示したもので、実際には１つのセグメントは数〜数１００周回トラック分もしくはそれ以上にわたることが多い。）
【０００９】
光磁気ディスクに対して楽曲の記録や消去が繰り返されたとき、記録する楽曲の演奏時間や消去した楽曲の演奏時間の差によりトラック上の空き領域が不規則に発生してしまうが、このように離散的な記録を実行することにより、例えば消去した楽曲よりも長い楽曲を、その消去部分を活用して記録することが可能になり、記録／消去の繰り返しにより、データ記録領域の無駄が生じることは解消される。なお、記録されるのは必ずしも『楽曲』に限らず、音声信号であれば如何なるものも含まれるが、本明細書では内容的に連続する１単位のデータ（トラック）としては楽曲が記録されると仮定して説明を行なう。
【００１０】
そしてこのようなディスクに対しては、記録時には複数の未記録領域となるセグメントをアクセスしながら録音を継続していき、また再生時には１つの楽曲が正しく連続して再生されるようにセグメントがアクセスされていかなければならない。このために必要な、１つの楽曲内のセグメント（例えばＭ4(1)〜Ｍ4(4)）を連結するためのデータや、未記録領域を示すデータは、上記したように記録動作や消去動作毎に書き換えられるＵ−ＴＯＣ情報として保持されており、記録／再生装置はこのＵ−ＴＯＣ情報を読み込んでヘッドのアクセスを行なうことにより、適正に記録／再生動作をなすように制御される。
【００１１】
なお、ディスク上の記録データは、図２９のように４セクターの（１セクタ＝２３５２バイト）サブデータ領域と３２セクターのメインデータ領域からなるクラスタＣＬ（＝３６セクタ−）単位で形成されており、１クラスタが記録時の最小単位とされる。１クラスタは２〜３周回トラック分に相当する。なお、アドレスは１セクター毎に記録される。
４セクターのサブデータ領域はサブデータやリンキングエリアとしてなどに用いられ、ＴＯＣデータ、オーディオデータ等の記録は３２セクターのメインデータ領域に行なわれる。
【００１２】
また、セクターはさらにサウンドグループに細分化され、２セクターが１１サウンドグループに分けられている。そして、サウンドグループ内には５１２サンプルのデータがＬチャンネルとＲチャンネルに分けられて記録されることになる。１サウンドグループは11.6msecの時間に相当する音声データ量となる。
【００１３】
【発明が解決しようとする課題】
ところで、ディスクに記録されている各トラックの内、所望のトラックを再生させたい時は、ユーザーはＡＭＳ（頭だし）操作を行なってトラックナンバを選択することになる。このために再生装置には通常、ＡＭＳキーとして次曲頭だしキーと前曲頭だしキーが設けられており、これらのキーによりステップずつトラックナンバをインクリメント（又はデクリメント）させて所望の曲を選択することになる。
【００１４】
ところが、この場合、トラックナンバとして離れた位置にあるトラックを選択したい場合などは何回もキーを押さなければならず操作が非常に面倒である。例えば第２０曲を再生させたい場合は次曲頭だしキーを２０回押さなければならない。
さらに、選択したトラックナンバのトラックを再生させるために選択決定キーを押さなければならず、操作は一層面倒となる。
【００１５】
なお、機器によってはダイレクト選曲キーとして数字キーとして例えば１〜２５程度までの数字キーを用意し、例えば２０曲目を選択したい場合は、『２０』の数字キーを押すだけでよいとしたものもあるが、多数の数字キーを設ける必要から機器の操作パネル部分に広いスペースが必要になり、機器の小型化の要請に反し、必ずしも全ての種類の再生装置にとっては適当ではない。また、キーが用意されていないトラックナンバについては同様に操作が面倒となる。例えばミニディスクシステムの場合、後述するが１枚のディスクに最大２５５曲まで録音可能とされているが、数字キーが２５までしか設けられていない場合、第２６曲目から第２５５曲目まではダイレクト選曲ができず、結局ＡＭＳキーを何度も押さなければならないことになる。
【００１６】
さらに、ミニディスクシステムを例にあげると、各曲やディスクに対応して曲名等の文字列を入力することができ、また、内蔵の時計機能により現在日時を把握することができる。また、プログラム再生機能としてユーザーがプログラム指定した曲順で再生を行なったり、所望の位置でトラックを分割（ディバイド編集処理）或は曲番（トラックナンバ）の変更（ムーブ編集処理）を行なうことができる。
ところが、これらのプログラム再生処理や編集処理のためのユーザーの操作も煩雑であるという問題もある。
【００１７】
即ち文字列入力の際に入力すべき文字の選択及び選択決定（エンター）のために何度も所定のキーを押さなければならず、また時計設定の際も同様である。さらにプログラム指定の選曲操作、ディバイド処理のディバイド位置の設定操作、及びムーブ処理における変更すべき曲番の選択操作についても、何度も所定のキーを押さなければならず、非常に操作が煩わしい。
【００１８】
【課題を解決するための手段】
本発明はこのような事情に鑑みてなされもので、ダイレクト選曲キー等を設けずに編集のためのユーザー操作を非常に簡略化させ、操作性を向上させることを目的とする。
【００１９】
このため本発明では、１単位のデータであるトラックが複数記録される記録領域と、上記トラックを管理する管理情報が記録されている管理領域と、を備えてなる記録媒体上の上記複数トラック中の所定トラックを移動元トラックとして所定の移動先トラックに移動させるとともに移動元トラックの移動に伴いトラック順序を繰上又は繰下することでトラック番号の並び換えを行う移動編集可能な編集装置において、回転操作及び押圧操作が可能な操作手段と、上記所定トラックに対応する移動元トラック番号と上記操作手段の回転操作に応じて指定された移動先トラック番号とが同時表示可能な表示手段と、上記所定トラックに対応する移動元トラック番号と、上記操作手段の回転操作に応じて指定された移動先トラック番号とが上記表示手段に同時表示された状態で、上記操作手段の回転操作に応じて上記移動先トラック番号を加減制御するとともに上記表示手段の移動先トラック番号表示を増減制御し、上記操作手段の押圧操作に応じて上記移動先トラック番号を決定する制御手段と、上記制御手段にて決定された上記移動先トラック番号に、上記移動元トラック番号で示された上記所定トラックを移動するように上記管理領域の管理情報を編集する編集手段と、を備えるようにする。
【００２１】
また本発明の編集方法は、１単位のデータであるトラックが複数記録される記録領域と、上記トラックを管理する管理情報が記録されている管理領域と、を備えてなる記録媒体上の上記複数トラック中の所定トラックを移動元トラックとして所定の移動先トラックに移動させるとともに移動元トラックの移動に伴いトラック順序を繰上又は繰下することでトラック番号の並び換えを行う移動編集可能な編集方法において、上記所定トラックに対応する移動元トラック番号と、回転操作及び押圧操作が可能な操作部の回転操作に応じて指定された移動先トラック番号とを表示部に表示する表示ステップと、上記操作部の回転操作に応じて上記移動先トラック番号を加減制御するとともに上記表示部の移動先トラック番号表示を増減制御する移動先トラック番号加減ステップと、上記操作部の押圧操作に応じて上記移動先トラック番号を決定する決定ステップと、上記決定された上記移動先トラック番号に上記所定トラックに対応する移動元トラック番号を移動するように上記管理領域の管理情報を編集する編集ステップと、が行われるようにする。
【００２２】
【作用】
回動操作及び押圧操作が可能とされた操作手段（ジョグダイヤル）を設けることにより、回動量に応じて入力値を設定でき、例えばトラックナンバ等において離れた数値でもユーザーは容易に選択できる。さらに、このジョグダイヤルを押すことでエンター操作とすれば、ユーザーは選択決定の際に他のキー等を操作する必要はなく、操作は簡易化される。つまり、ユーザーはジョグダイヤルを回して値を選択した後、エンターする場合はそのままそのジョグダイヤルを押せばよい。
【００２３】
【実施例】
以下、図１〜図２７を用いて本発明の編集装置の一実施例として、光磁気ディスク（ミニディスク）を記録媒体として用いた記録再生装置をあげ、次の順序で説明する。
１．記録再生装置の構成
２．Ｐ−ＴＯＣセクター
３．Ｕ−ＴＯＣセクター
・Ｕ−ＴＯＣセクター０
・Ｕ−ＴＯＣセクター１
・Ｕ−ＴＯＣセクター２
４．ディスクのエリア構造
５．ディバイド処理
６．ムーブ処理
７．ジョグダイヤルによる入力動作
８．ジョグダイヤルによる選曲／ＡＭＳ処理
９．ジョグダイヤルによる時計設定処理
１０．ジョグダイヤルによる文字入力処理
１１．ジョグダイヤルによるプログラム指定入力処理
１２．ジョグダイヤルによるディバイド処理
１３．ジョグダイヤルによるムーブ処理
【００２４】
＜１．記録再生装置の構成＞
図１（ａ）は記録再生装置の外観を示す正面図である。
３０は記録再生装置本体、３１は例えば液晶ディスプレイによる表示部であり図１（ｂ）のように動作状態表示部３１Ｍ、レベル表示部３１Ｌ、ミュージックカレンダー表示部３１Ｃが設けられている。動作状態表示部３１Ｍでは、そのときの動作、モード等の各種の状況に応じて、トラックナンバ、再生時間、記録／再生進行時間、タイトル文字、動作モード、動作状態などが表示される。
【００２５】
またレベル表示部３１Ｌでは録音時の記録レベル、再生時の再生レベルがバー形態で表示される。ミュージックカレンダー表示部３１Ｃでは装填されたディスクに記録されているトラックナンバを示す表示がなされる。図１（ｂ）は例えば１５曲が記録されたディスクの第２曲目の再生動作中の表示状態を例示したもので、動作状態表示部３１Ｍには、トラックナンバ、再生進行時間、及び再生動作状態を示すシンボルが表示されている。またミュージックカレンダーとしては１曲目の表示が消され、２〜１５のトラックナンバが表示されている。
本実施例についての要点となる表示動作については後述する。
３２はディスク挿入部であり、カートリッジに収納された光磁気ディスクが挿入され、内部の記録／再生光学ドライブ系にローディングされる。
【００２６】
記録再生装置本体３０には操作入力部として各種の操作手段が設けられている。３３は録音キー、３４は停止キー、３５は再生キーである。再生キー３５は一時停止（ポーズ）キーとして兼用されている。
また３６は装填されているディスクを取り出すためのイジェクトキー、３７は電源キーである。
【００２７】
さらに、３８Ｒは早戻し再生キー、３８Ｆは早送り再生キー、３９はプレイモードキー、４０はエディットキー、４１はエンターキー（イエスキー）、４２は時計設定キーである。プレイモードキー３９は、ユーザーが指定した曲順で再生を行なうプログラム再生モード、ランダムな曲順で再生を行なうシャッフル再生モード、指定した曲又は全曲を繰り返し再生するリピート再生モードなどの選択をするための操作キーである。
【００２８】
また、エディットキー４０の操作により各種編集モードが選択され、エンターキー４１により、そのときのモード状態により所定の動作が実行される。編集モードとしては、指定した楽曲（トラック）を消去するイレーズモード、記録されている全ての楽曲を消去するオールイレーズモード、指定した箇所で楽曲を分割するディバイドモード、指定した２つの楽曲を連結して１つの楽曲とするコンバインモード、記録されている楽曲の曲順を変更するムーブモード、指定した楽曲についての曲名や装填されているディスクに対するディスクタイトルを入力し記憶させるネームインモード、記録されている曲名やディスクタイトルを消去するネームイレーズモードなどが用意されている。
【００２９】
そして、再生停止中であるときにはエディットキー４０が押される毎に、オールイレーズ、ネームイレーズ、ネームインの各モードの表示（モード移行の確認表示）が表示部３１においてなされ、エンターキー４１が押された時点で表示部３１に表示されて選択されているモードに移行する。
【００３０】
また、再生停止中であるが、或るトラックナンバが選択されている時には、エディットキー４０が押される毎に、イレーズ、コンバイン、ムーブ、ネームインの各モードの表示（モード移行の確認表示）が表示部３１においてなされ、エンターキー４１が押された時点で表示部３１に表示されて選択されているモードに移行する。
【００３１】
また、再生中には、エディットキー４０が押される毎に、イレーズ、ディバイド、コンバイン、ムーブ、ネームインの各モードの表示（モード移行の確認表示）が表示部３１においてなされ、エンターキー４１が押された時点で表示部３１に表示されて選択されているモードに移行する。
【００３２】
時計設定キー４２は記録再生装置３０の内部時計を合わせる際の操作キーであり、時計設定キー４２を押すことで時計設定モードとなり、ユーザーは現在の年月日時分秒を入力しセットできる。
【００３３】
４３はジョグダイヤルであり、停止中や再生中にはＡＭＳ（頭だし）操作部として機能する。つまり選曲操作部となる。このジョグダイヤル４３は１回転が約３０クリック程度に設定されており、つまり、ジョグダイヤル４３を１回転させた場合は、３０曲先又は３０曲前の楽曲の頭だし動作がなされる。特にミニディスクシステムの場合、最大２５５曲録音可能とされているが、ジョグダイヤル４３を用いて選曲操作を行なうことで、曲順としてかなり離れた楽曲の選曲も容易迅速に可能となる。
【００３４】
また、このジョグダイヤル４３は回転操作とともに押圧操作もできるように構成されており、ジョグダイヤル４３が押圧された際は再生操作として判別される。従って停止時にはジョグダイヤル４３を回転させて選曲をした後、そのままジョグダイヤル４３を押圧すれば選曲した楽曲の再生が開始されることになる。なお、ＡＭＳ操作としては、時計方向に回転されると曲順として後方の楽曲の選曲操作となり、反時計方向に回転されると曲順として前方の楽曲の選曲操作となる。
【００３５】
また、このジョグダイヤル４３は時計設定モードにおける時刻等の数値入力、プログラム再生（ユーザーの指定した曲順での再生）のセットの際の曲順入力、ディバイドモードにおけるディバイド地点の設定入力、ムーブモードにおける曲順移動対象楽曲の選択及び移動先の指定の入力、ネームインモードにおける入力文字（アルファベットや各種マーク等のキャラクタ）の選択入力に用いられる。
【００３６】
さらに、ジョグダイヤル４３の押圧操作は、時計設定モードにおける入力した数値のエンター（桁送り指示）、プログラム再生のセットの際のエンター（曲順入力完了の指示）、ディバイドモードにおけるエンター（実行指示）、ムーブモードにおけるエンター（実行指示）、ネームインモードにおける入力文字のエンター（桁送り指示）、としての操作となる。
ジョグダイヤル４３を用いた操作の詳細については後述する。
【００３７】
また、４４はマイク入力端子でありマイクロホンが接続されマイク音声入力が可能とされる。４５は録音レベル（マイク入力レベル）調整つまみである。
４６はヘッドホン出力端子でありヘッドホンが接続される。４７はヘッドホンレベル調節つまみである。
【００３８】
なお、図示しないが、筺体背面側には、アナログ音声信号のライン入力端子、ライン出力端子や、デジタル音声信号の入出力をオーディオ光ケーブルで行なう光入力端子、光出力端子等が設けられている。
【００３９】
また、記録再生装置本体３０には赤外線受光部４７が設けられ、図３に示すような赤外線によりコマンド信号を送信するリモートコマンダー９０のコマンド信号を受信できるようになされている。
【００４０】
リモートコマンダー９０には、例えば電源キー９１、数字キー９２、各種モードキー９３、記録／再生操作キー９４などが設けられ、これらのキーが押されると、それに対応したコマンド信号が内部のＲＯＭ又はＲＡＭから読み出され、赤外線輝度変調されて出力されることになる。そしてそのコマンド信号は赤外線受光部４７から取り込まれる。
なお、リモートコマンダー９０においては図示するように所定のキーがそれぞれアルファベットや記号に対応されており、ネームインモードにおいてこれらを操作することで文字入力をなすことができるようにされている。
【００４１】
図１の記録再生装置３０内部の要部のブロック図を図２に示す。
図２において、１は例えば音声データが記録されている光磁気ディスクを示し、ディスク挿入部３２からローディングされた状態を模式的に示している。
ディスク１に記録されている楽曲等の音声データは、44.1KHz サンプリングで１６ビット量子化によるデジタルデータが変形ＤＣＴ（Modified Discreate Cosine Transform ）圧縮技術により約１／５に圧縮され、さらにＥＦＭ変調及びＣＩＲＣエンコードが施されたデータとされている。
【００４２】
この光磁気ディスク１はスピンドルモータ２により回転駆動される。３は光磁気ディスク１に対して記録／再生時にレーザ光を照射する光学ヘッドであり、記録時には記録トラックをキュリー温度まで加熱するための高レベルのレーザ出力をなし、また再生時には磁気カー効果により反射光からデータを検出するための比較的低レベルのレーザ出力をなす。
【００４３】
このため、光学ヘッド３はレーザ出力手段としてのレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００４４】
また、６ａは供給されたデータによって変調された磁界を光磁気ディスクに印加する磁気ヘッドを示し、光磁気ディスク１を挟んで光学ヘッド３と対向する位置に配置されている。光学ヘッド３全体及び磁気ヘッド６ａは、スレッド機構５によりディスク半径方向に移動可能とされている。
【００４５】
再生動作によって、光学ヘッド３により光磁気ディスク１から検出された情報はＲＦアンプ７に供給される。ＲＦアンプ７は供給された情報の演算処理により、再生ＲＦ信号、トラッキングエラー信号、フォーカスエラー信号、絶対位置情報（光磁気ディスク１にプリグルーブ（ウォブリンググルーブ）として記録されている絶対位置情報）、アドレス情報、フォーカスモニタ信号等を抽出する。そして、抽出された再生ＲＦ信号はエンコーダ／デコーダ部８に供給される。また、トラッキングエラー信号、フォーカスエラー信号はサーボ回路９に供給され、アドレス情報はアドレスデコーダ１０に供給される。さらに絶対位置情報、フォーカスモニタ信号は例えばマイクロコンピュータによって構成されるシステムコントローラ１１に供給される。
【００４６】
サーボ回路９は供給されたトラッキングエラー信号、フォーカスエラー信号や、システムコントローラ１１からのトラックジャンプ指令、シーク指令、スピンドルモータ２の回転速度検出情報等により各種サーボ駆動信号を発生させ、２軸機構４及びスレッド機構５を制御してフォーカス及びトラッキング制御をなし、またスピンドルモータ２を一定角速度（ＣＡＶ）又は一定線速度（ＣＬＶ）に制御する。
【００４７】
再生ＲＦ信号はエンコーダ／デコーダ部８でＥＦＭ復調、ＣＩＲＣ等のデコード処理された後、メモリコントローラ１２によって一旦バッファＲＡＭ１３に書き込まれる。なお、光学ヘッド３による光磁気ディスク１からのデータの読み取り及び光学ヘッド３からバッファＲＡＭ１３までの系における再生データの転送は1.41Mbit/secで、しかも間欠的に行なわれる。
【００４８】
バッファＲＡＭ１３に書き込まれたデータは、再生データの転送が0.3Mbit/sec となるタイミングで読み出され、エンコーダ／デコーダ部１４に供給される。そして、変形ＤＣＴ処理による音声圧縮処理に対するデコード処理により量子化１６ビットの出力デジタル信号とされる。
【００４９】
出力デジタル信号は、Ｄ／Ａ変換器１５によってアナログ信号とされ端子１６Ａに供給される。そして、端子１６より所定の回路部を経てヘッドホン４６やライン出力端子に供給される。または、エンコーダ／デコーダ部１４からの出力デジタル信号はアナログ化されずに端子１６Ｄより光出力端子に供給される。
【００５０】
ここで、バッファＲＡＭ１３へのデータの書込／読出は、メモリコントローラ１２によって書込ポインタと読出ポインタの制御によりアドレス指定されて行なわれるが、書込ポインタ（書込アドレス）は上記したように1.41Mbit/secのタイミングでインクリメントされ、一方、読出ポインタ（読出アドレス）は0.3Mbit/sec のタイミングでインクリメントされていくため、この書込と読出のビットレートの差異により、バッファＲＡＭ１３内には或る程度データが蓄積された状態となる。バッファＲＡＭ１３内にフル容量のデータが蓄積された時点で書込ポインタのインクリメントは停止され、光学ヘッド３による光磁気ディスク１からのデータ読出動作も停止される。ただし読出ポインタのインクリメントは継続して実行されているため、再生音声出力はとぎれないことになる。
【００５１】
その後、バッファＲＡＭ１３から読出動作のみが継続されていき、或る時点でバッファＲＡＭ１３内のデータ蓄積量が所定量以下となったとすると、再び光学ヘッド３によるデータ読出動作及び書込ポインタのインクリメントが再開され、再びバッファＲＡＭ１３のデータ蓄積がなされていく。
【００５２】
このようにバッファＲＡＭ１３を介して再生音響信号を出力することにより、例えば外乱等でトラッキングが外れた場合などでも、再生音声出力が中断してしまうことはなく、データ蓄積が残っているうちに例えば正しいトラッキング位置までにアクセスしてデータ読出を再開することで、再生出力に影響を与えずに動作を続行できる。即ち、耐振機能を著しく向上させることができる。
【００５３】
図２において、アドレスデコーダ１０から出力されるアドレス情報や制御動作に供されるサブコードデータはエンコーダ／デコーダ部８を介してシステムコントローラ１１に供給され、各種の制御動作に用いられる。
さらに、記録／再生動作のビットクロックを発生させるＰＬＬ回路のロック検出信号、及び再生データ（Ｌ，Ｒチャンネル）のフレーム同期信号の欠落状態のモニタ信号もシステムコントローラ１１に供給される。
【００５４】
また、システムコントローラ１１は光学ヘッド３におけるレーザダイオードの動作を制御するレーザ制御信号ＳLPを出力しており、レーザダイオードの出力をオン／オフ制御するとともに、オン制御時としては、レーザパワーが比較的低レベルである再生時の出力と、比較的高レベルである記録時の出力とを切り換えることができるようになされている。
【００５５】
光磁気ディスク１に対して記録動作が実行される際には、マイク入力端子４４もしくはライン入力端子から入力されたアナログ音声信号が端子１７Ａに供給される。そして、Ａ／Ｄ変換器１８において44,1KHz サンプリング、量子化１６ビットのデジタルデータとされた後、エンコーダ／デコーダ部１４に供給される。又は、光入力端子から入力されるデジタル音声信号は端子１７Ｄからエンコーダ／デコーダ部１４に供給される。
【００５６】
エンコーダ／デコーダ部１４では入力されたデジタル音声信号に対して、変形ＤＣＴ処理による音声圧縮エンコードを施す。エンコーダ／デコーダ部１４によって圧縮された記録データはメモリコントローラ１２によって一旦バッファＲＡＭ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００５７】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００５８】
１９はユーザー操作に供されるキーが設けられた操作入力部であり、上述した３３〜４３のキー及びジョグダイヤルがこれに相当する。
また、赤外線受光部４７では、リモートコマンダー９０からの赤外線コマンド信号が受信されたら、これを電気信号に変換してコマンドパルスとしてシステムコントローラ１１に供給するようにしており、システムコントローラ１１がこれに基づいて各種処理を行なうようにすることにより、リモートコマンダー９０による遠隔操作を可能としている。
【００５９】
さらにシステムコントローラ１１には内部に時計手段１１ａを備えており、現在日時情報（年月日時分秒）を把握できるようになされ、例えば現在日時を表示部３１において表示できたり、また録音動作の際には録音日時をディスクに書込むことができるようになされている。ユーザーが行なう時計設定（時計合わせ）操作のためには、上述したように時計設定キー４２を押して時計設定モードとした後、ジョグダイヤル４３を用いて時刻を合わせる。
【００６０】
ところで、ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）を読み出して、システムコントローラ１１はこれらの管理情報に応じてディスク１上の記録すべきセグメントのアドレスや、再生すべきセグメントのアドレスを判別することとなるが、この管理情報はバッファＲＡＭ１３に保持される。このためバッファＲＡＭ１３は、上記した記録データ／再生データのバッファエリアと、これら管理情報を保持するエリアが分割設定されている。
【００６１】
そして、システムコントローラ１１はこれらの管理情報を、ディスク１が装填された際に管理情報の記録されたディスクの最内周側の再生動作を実行させることによって読み出し、バッファＲＡＭ１３に記憶しておき、以後そのディスク１に対する記録／再生動作の際に参照できるようにしている。
【００６２】
また、Ｕ−ＴＯＣはデータの記録や消去に応じて編集されて書き換えられるものであるが、システムコントローラ１１は記録／消去動作のたびにこの編集処理をバッファＲＡＭ１３に記憶されたＵ−ＴＯＣ情報に対して行ない、その書換動作に応じて所定のタイミングでディスク１のＵ−ＴＯＣエリアについても書き換えるようにしている。
【００６３】
＜２．Ｐ−ＴＯＣセクター＞
ここで、ディスク１においてセクターデータ形態で記録される音声データセクター、及び音声データの記録／再生動作の管理を行なう管理情報として、まずＰ−ＴＯＣセクターについて説明する。
Ｐ−ＴＯＣ情報としては、ディスクの記録可能エリア（レコーダブルユーザーエリア）などのエリア指定やＵ−ＴＯＣエリアの管理等が行なわれる。なお、ディスク１が再生専用の光ディスクであるプリマスタードディスクの場合は、Ｐ−ＴＯＣによってＲＯＭ化されて記録されている楽曲の管理も行なうことができるようになされている。
【００６４】
Ｐ−ＴＯＣのフォーマットを図４に示す。
図４はＰ−ＴＯＣ用とされる領域（例えばディスク最内周側のＲＯＭエリア）において繰り返し記録されるＰ−ＴＯＣ情報の１つのセクター（セクター０）を示している。なお、Ｐ−ＴＯＣフォーマットはセクター１以降はオプションとされている。
【００６５】
Ｐ−ＴＯＣのセクターのデータ領域（４バイト×588 の２３５２バイト）は、先頭位置にオール０又はオール１の１バイトデータによって成る１２バイトの同期パターンと、クラスタアドレス及びセクターアドレスを示すアドレス等の４バイトが付加され、以上でヘッダとされてＰ−ＴＯＣの領域であることが示される。
【００６６】
また、ヘッダに続いて所定アドレス位置に『ＭＩＮＩ』という文字に対応したアスキーコードによる識別ＩＤが付加されている。
さらに、続いてディスクタイプや録音レベル、記録されている最初の楽曲の曲番（First TNO)、最後の楽曲の曲番（Last TNO) 、リードアウトスタートアドレスＲＯA 、パワーキャルエリアスタートアドレスＰＣA 、Ｕ−ＴＯＣ（後述する図５のＵ−ＴＯＣセクター０のデータ領域）のスタートアドレスＵＳＴA 、録音可能なエリア（レコーダブルユーザーエリア）のスタートアドレスＲＳＴA 等が記録される。
【００６７】
続いて、記録されている各楽曲等を後述する管理テーブル部におけるパーツテーブルに対応させるテーブルポインタ(P-TNO1 〜P-TNO255) を有する対応テーブル指示データ部が用意されている。
【００６８】
そして対応テーブル指示データ部に続く領域には、対応テーブル指示データ部におけるテーブルポインタ(P-TNO1 〜P-TNO255) に対応して、(01h) 〜(FFh) までの２５５個のパーツテーブルが設けられた管理テーブル部が用意される（なお本明細書において『ｈ』を付した数値はいわゆる１６進表記のものである）。それぞれのパーツテーブルには、或るセグメントについて起点となるスタートアドレス、終端となるエンドアドレス、及びそのセグメント（トラック）のモード情報（トラックモード）が記録できるようになされている。
【００６９】
各パーツテーブルにおけるトラックのモード情報とは、そのセグメントが例えばオーバーライト禁止やデータ複写禁止に設定されているか否かの情報や、オーディオ情報か否か、モノラル／ステレオの種別などが記録されている。
【００７０】
管理テーブル部における(01h) 〜(FFh) までの各パーツテーブルは、対応テーブル指示データ部のテーブルポインタ (P-TNO1〜P-TNO255) によって、そのセグメントの内容が示される。つまり、第１曲目の楽曲についてはテーブルポインタP-TNO1として或るパーツテーブル（例えば(01h) 。ただし実際にはテーブルポインタには所定の演算処理によりＰ−ＴＯＣセクター０内のバイトポジションで或るパーツテーブルを示すことができる数値が記されている）が記録されており、この場合パーツテーブル(01h) のスタートアドレスは第１曲目の楽曲の記録位置のスタートアドレスとなり、同様にエンドアドレスは第１曲目の楽曲が記録された位置のエンドアドレスとなる。さらに、トラックモード情報はその第１曲目についての情報となる。
【００７１】
同様に第２曲目についてはテーブルポインタP-TNO2に示されるパーツテーブル（例えば(02h) ）に、その第２曲目の記録位置のスタートアドレス、エンドアドレス、及びトラックモード情報が記録されている。
以下同様にテーブルポインタはP-TNO255まで用意されているため、Ｐ−ＴＯＣ上では第２５５曲目まで管理可能とされている。
そして、このようにＰ−ＴＯＣセクター０が形成されることにより、例えば再生時において、所定の楽曲をアクセスして再生させることができる。
【００７２】
なお、記録／再生可能な光磁気ディスクの場合いわゆるプリマスタードの楽曲エリアが存在しないため、上記した対応テーブル指示データ部及び管理テーブル部は用いられず（これらは続いて説明するＵ−ＴＯＣで管理される）、従って各バイトは全て『００ｈ』とされている。
ただし、全ての楽曲がＲＯＭ形態（ピット形態）で記録されているプリマスタードタイプのディスク、及び楽曲等が記録されるエリアとしてＲＯＭエリアと光磁気エリアの両方を備えたハイブリッドタイプのディスクについては、そのＲＯＭエリア内の楽曲の管理に上記対応テーブル指示データ部及び管理テーブル部が用いられる。
【００７３】
＜３．Ｕ−ＴＯＣセクター＞
続いてＵ−ＴＯＣの説明をＵ−ＴＯＣセクター０〜Ｕ−ＴＯＣセクター２について行なう。
【００７４】
・Ｕ−ＴＯＣセクター０
図５はＵ−ＴＯＣセクター０のフォーマットを示しており、主にユーザーが録音を行なった楽曲や新たに楽曲が録音可能な未記録エリア（フリーエリア）についての管理情報が記録されているデータ領域とされる。なお、Ｕ−ＴＯＣもセクター１以降はオプションとされる。
例えばディスク１に或る楽曲の録音を行なおうとする際には、システムコントローラ１１は、Ｕ−ＴＯＣからディスク上のフリーエリアを探し出し、ここに音声データを記録していくことができるようになされている。また、再生時には再生すべき楽曲が記録されているエリアをＵ−ＴＯＣから判別し、そのエリアにアクセスして再生動作を行なう。
【００７５】
図５に示すＵ−ＴＯＣセクター０には、Ｐ−ＴＯＣと同様にまずヘッダが設けられ、続いて所定アドレス位置に、メーカーコード、モデルコード、最初の楽曲の曲番(First TNO）、最後の楽曲の曲番（Last TNO）、セクター使用状況、ディスクシリアルナンバ、ディスクＩＤ等のデータが記録され、さらに、ユーザーが録音を行なって記録されている楽曲の領域や未記録領域等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００７６】
そして対応テーブル指示データ部のテーブルポインタ(P-DFA〜P-TNO255) に対応させることになる管理テーブル部として(01h) 〜(FFh) までの２５５個のパーツテーブルが設けられ、それぞれのパーツテーブルには、上記図４のＰ−ＴＯＣセクター０と同様に或るセグメントについて起点となるスタートアドレス、終端となるエンドアドレス、そのセグメントのモード情報（トラックモード）が記録されており、さらにこのＵ−ＴＯＣセクター０の場合、各パーツテーブルで示されるセグメントが他のセグメントへ続いて連結される場合があるため、その連結されるセグメントのスタートアドレス及びエンドアドレスが記録されているパーツテーブルを示すリンク情報が記録できるようになされている。
【００７７】
この種の記録再生装置では、上述したように１つの楽曲のデータが物理的に不連続に、即ち複数のセグメントにわたって記録されていてもセグメント間でアクセスしながら再生していくことにより再生動作に支障はないため、ユーザーが録音する楽曲等については、録音可能エリアの効率使用等の目的から、複数セグメントにわけて記録する場合もある。そのため、リンク情報が設けられ、例えば各パーツテーブルに与えられたナンバ(01h) 〜(FFh) （実際には所定の演算処理によりＵ−ＴＯＣセクター０内のバイトポジションとされる数値で示される）によって、連結すべきパーツテーブルを指定することによってパーツテーブルが連結できるようになされている。（なお、プリマスタードディスク等においてピット形態で記録される楽曲等については通常セグメント分割されることがないため、前記図４のとおりＰ−ＴＯＣセクター０においてリンク情報はすべて『(00h) 』とされている。）
【００７８】
つまりＵ−ＴＯＣセクター０における管理テーブル部においては、１つのパーツテーブルは１つのセグメントを表現しており、例えば３つのセグメントが連結されて構成される楽曲についてはリンク情報によって連結される３つのパーツテーブルによって、そのセグメント位置の管理はなされる。
【００７９】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのセグメントの内容が示される。
【００８０】
テーブルポインタP-DFA は光磁気ディスク１上の欠陥領域に付いて示しており、傷などによる欠陥領域となるトラック部分（＝セグメント）が示された１つのパーツテーブル又は複数のパーツテーブル内の先頭のパーツテーブルを指定している。つまり、欠陥セグメントが存在する場合はテーブルポインタP-DFA において(01h) 〜(FFh) のいづれかが記録されており、それに相当するパーツテーブルには、欠陥セグメントがスタート及びエンドアドレスによって示されている。また、他にも欠陥セグメントが存在する場合は、そのパーツテーブルにおけるリンク情報として他のパーツテーブルが指定され、そのパーツテーブルにも欠陥セグメントが示されている。そして、さらに他の欠陥セグメントがない場合はリンク情報は例えば『(00h) 』とされ、以降リンクなしとされる。
【００８１】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００８２】
テーブルポインタP-FRA は光磁気ディスク１上のデータの書込可能なフリーエリア（消去領域を含む）について示しており、フリーエリアとなるトラック部分（＝セグメント）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるセグメントがスタート及びエンドアドレスによって示されている。また、このようなセグメントが複数個有り、つまりパーツテーブルが複数個有る場合はリンク情報により、リンク情報が『(00h) 』となるパーツテーブルまで順次指定されている。
【００８３】
図６にパーツテーブルにより、フリーエリアとなるセグメントの管理状態を模式的に示す。これはセグメント(03h)(18h)(1Fh)(2Bh)(E3h) がフリーエリアとされている時に、この状態が対応テーブル指示データP-FRA に引き続きパーツテーブル(03h)(18h)(1Fh)(2Bh)(E3h) のリンクによって表現されている状態を示している。なお、上記した欠陥領域や、未使用パーツテーブルの管理形態もこれと同様となる。
【００８４】
ところで、全く楽曲等の音声データの記録がなされておらず欠陥もない光磁気ディスクであれば、テーブルポインタP-FRA によってパーツテーブル(01h) が指定され、これによってディスクのレコーダブルユーザーエリアの全体が未記録領域（フリーエリア）であることが示される。そして、この場合残る(02h) 〜(FFh) のパーツテーブルは使用されていないことになるため、上記したテーブルポインタP-EMPTY によってパーツテーブル(02h) が指定され、また、パーツテーブル(02h) のリンク情報としてパーツテーブル(03h) が指定され、パーツテーブル(03h) のリンク情報としてパーツテーブル(04h) が指定され、というようにパーツテーブル(FFh) まで連結される。この場合パーツテーブル(FFh) のリンク情報は以降連結なしを示す『(00h) 』とされる。
なお、このときパーツテーブル(01h) については、スタートアドレスとしてはレコーダブルユーザーエリアのスタートアドレスが記録され、またエンドアドレスとしてはリードアウトスタートアドレスの直前のアドレスが記録されることになる。
【００８５】
テーブルポインタP-TNO1〜P-TNO255は、光磁気ディスク１にユーザーが記録を行なった楽曲について示しており、例えばテーブルポインタP-TNO1では１曲目のデータが記録された１又は複数のセグメントのうちの時間的に先頭となるセグメントが示されたパーツテーブルを指定している。
【００８６】
例えば１曲目とされた楽曲がディスク上でトラックが分断されずに（つまり１つのセグメントで）記録されている場合は、その１曲目の記録領域はテーブルポインタP-TNO1で示されるパーツテーブルにおけるスタート及びエンドアドレスとして記録されている。
【００８７】
また、例えば２曲目とされた楽曲がディスク上で複数のセグメントに離散的に記録されている場合は、その楽曲の記録位置を示すため各セグメントが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図６と同様の形態）。このように例えば２曲目を構成するデータが記録された全セグメントが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６ａをアクセスさせ離散的なセグメントから連続的な音楽情報を取り出したり、記録エリアを効率使用した記録が可能になる。
【００８８】
・Ｕ−ＴＯＣセクター１
図７はＵ−ＴＯＣセクター１のフォーマットを示しており、主にユーザーが録音を行なった楽曲に曲名をつけたり、ディスクタイトルをつける場合に、入力された文字情報を記録するデータ領域とされる。
【００８９】
このＵ−ＴＯＣセクター１には、記録された各楽曲に相当する文字テーブル指示データ部としてテーブルポインタP-TNA1〜P-TNA255が用意され、またこのテーブルポインタP-TNA1〜P-TNA255によって指定される文字テーブル部が１単位８バイトで２５５単位のパーツテーブル(01h) 〜(FFh) として用意されており、上述したＵ−ＴＯＣセクター０とほぼ同様の形態で文字データを管理する。
【００９０】
パーツテーブル(01h) 〜(FFh) にはディスクタイトル（ディスクネーム）や曲名（トラックネーム）としての文字情報がアスキーコードで記録される。なお、パーツテーブル(01h) の前の８バイトはディスクネームの専用エリアとされている。
【００９１】
そして、例えばテーブルポインタP-TNA1によって指定されるパーツテーブルには第１曲目に対応してユーザーが入力した文字（もちろん曲名に限定されない）が記録されていることになる。
また、パーツテーブルがリンク情報によりリンクされることで、１つの楽曲に対応する文字入力は７バイト（７文字）より大きくなっても対応できる。
なお、このＵ−ＴＯＣセクター１でもテーブルポインタP-EMPTY は使用していないパーツテーブルを管理するものである。
【００９２】
ユーザーが所定の楽曲について曲名等の文字を入力する際には、記録時、再生時、もしくは停止時において楽曲を指定した後において、エディットキー４０を操作してネームインモードとし、ジョグダイヤル４３の回転及び押圧で各文字を入力していき全ての入力文字列を入力した段階で、エンターキー４１でエンターする。もしくはリモートコマンダー９０を用いて文字入力及びエンター操作を行なう。
すると、システムコントローラ１１はその入力された文字をバッファＲＡＭ１３に保持されているＵ−ＴＯＣ情報において書込、所定時点でディスク１上のＵ−ＴＯＣエリアを書き換えることになる。
【００９３】
・Ｕ−ＴＯＣセクター２
図８はＵ−ＴＯＣセクター２のフォーマットを示しており、主にユーザーが録音を行なった楽曲の録音日時を記録するデータ領域とされる。
【００９４】
このＵ−ＴＯＣセクター２には、記録された各楽曲に相当する日時テーブル指示データ部としてテーブルポインタP-TRD1〜P-TRD255が用意され、またこのテーブルポインタP-TRD1〜P-TRD255によって指定される日時テーブル部が１単位８バイトで２５５単位のパーツテーブル(01h) 〜(FFh) として用意されており、上述したＵ−ＴＯＣセクター０とほぼ同様の形態で文字データを管理する。
【００９５】
パーツテーブル(01h) 〜(FFh) には楽曲（トラック）の録音日時が６バイトで記録される。６バイトはそれぞれ１バイトづつ、年、月、日、時、分、秒に相当する数値が記録される。また、残りの２バイトはメーカーコード及びモデルコードとされ、その楽曲を録音した記録装置の製造者を示すコードデータ、及び録音した記録装置の機種を示すコードデータが記録される。
なお、パーツテーブル(01h) の前の８バイトはディスクに対しての録音日時データのためのエリアとされている。
【００９６】
例えばディスクに曲が第１曲目としてが録音されると、テーブルポインタP-TRD1によって指定されるパーツテーブルにはその録音日時及び録音装置のメーカーコード、モデルコードが記録される。録音日時データは録音装置の内部時計を参照して自動的に記録されることになる。
【００９７】
なお、このＵ−ＴＯＣセクター１でもテーブルポインタP-EMPTY は使用していないパーツテーブルを管理するものであり、使用されていないパーツテーブルについては、モデルコードに代えてリンク情報が記録されており、テーブルポインタP-EMPTY を先頭に各未使用のパーツテーブルがリンク情報でリンクされて管理されている。
【００９８】
以上のようなＴＯＣ情報が記録された光磁気ディスク１に対する本実施例の記録再生装置は、ＴＯＣメモリ２１に読み込んだＴＯＣ情報を用いてディスク上の記録領域の管理を行なって記録／再生動作を制御する。
また、表示部３１に対してはＴＯＣ情報として読み出された数字や文字による曲名や録音日時などを表示することができるようになされている。
【００９９】
＜４．ディスクのエリア構造＞
記録再生装置３０によりデータが記録されるディスク１のエリア構造を図９で説明する。図９（ａ）はディスクのエリア構造をその半径方向に模式的に示したものである。
光磁気ディスクの場合、大きくわけて図９（ａ）にピットエリアとして示すようにエンボスピットによりデータが記録されているエリア（プリマスタードエリア）と、いわゆる光磁気エリアとされてグルーブが設けられているグルーブエリアに分けられる。
【０１００】
ここでピットエリアとしてはＰ−ＴＯＣが繰り返し記録されており、上述したようにこのＰ−ＴＯＣにおいて、図中の各アドレス、即ちＵ−ＴＯＣスタートアドレスＵＳＴA 、リードアウトスタートアドレスＲＯA 、レコーダブルユーザーエリアスタートアドレスＲＳＴA 、パワーキャルエリアスタートアドレスＰＣA が示されている。
【０１０１】
このディスクの最内周側のピットエリアに続いてグルーブエリアが形成されるが、このグルーブエリア内のうちＰ−ＴＯＣ内のリードアウトスタートアドレスＲＯA として示されるアドレスまでのエリアが、記録可能なレコーダブルエリアとされ、以降はリードアウトエリアとされている。
【０１０２】
さらにこのレコーダブルエリアのうち、実際に楽曲データトラックが記録されるレコーダブルユーザーエリアは、レコーダブルユーザーエリアスタートアドレスＲＳＴA から、リードアウトスタートアドレスＲＯA の直前の位置までとなる。
【０１０３】
そして、グルーブエリア内においてレコーダブルユーザーエリアスタートアドレスＲＳＴA より前となるエリアは、記録再生動作のための管理エリアとされ、上記したＵ−ＴＯＣ等が記録され、またパワーキャルエリアスタートアドレスＰＣA として示される位置から１クラスタ分がレーザーパワーのキャリブレーションエリアとして設けられる。
Ｕ−ＴＯＣはこの記録再生動作のための管理エリア内においてＵ−ＴＯＣスタートアドレスＵＳＴA に示される位置から３クラスタ（１クラスタ＝３６セクター）連続して記録される。
【０１０４】
＜５．ディバイド処理＞
このようにレコーダブルユーザーエリアに対して本実施例の記録再生装置３０は録音を行なうことができるが、その録音された楽曲（トラック）について、上記のようにＵ−ＴＯＣで管理され、これに基づいて記録／再生動作が行なわれることにより、Ｕ−ＴＯＣを書き換えるのみで楽曲の分割（ディバイド）、楽曲の連結（コンバイン）、トラックナンバの変更（ムーブ）等の編集処理が可能となる。まず、ディバイド処理について説明する。なお、コンバイン編集については本発明の要旨と直接関係ないため、その説明は省略する。
【０１０５】
例えば図９（ａ）のように、レコーダブルユーザーエリアに４曲の楽曲Ｍ1 〜Ｍ4 が記録されているとする。なお、この場合、楽曲Ｍ2 は前半部分Ｍ2(1)と後半部分Ｍ2(2)にわかれて記録されている。また楽曲Ｍ4 となるセグメントよりディスク外周側となるエリアは、まだ楽曲の記録されていないフリーエリアとされている。
【０１０６】
例えばこのような記録状態はＵ−ＴＯＣ内において、テーブルポインタP-TNO1〜P-TNO4、P-FRA 、及びこれに連結されるパーツテーブルによってそのスタートアドレス及びエンドアドレスが示されて管理されている。
【０１０７】
上記したように記録再生装置本体３０の操作を行なうためのリモートコマンダー９０にはトラックマークキーとしてマークオンキー９５，マークオフキー９６が設けられており、例えば再生中にマークオンキー９５を操作することでディバイドよりが実行される。または後述するようにディバイドモードとした状態でジョグダイヤルを操作することにより分割位置を指定し、ディバイド処理を実行させることができる。
【０１０８】
例えばユーザーが図９（ａ）においてＴＭONとして示す位置、つまり楽曲Ｍ3 の途中の位置を指定してディバイド操作を行なったとすると、システムコントローラ１１はその操作に応じてＵ−ＴＯＣを書き換え、図９（ｂ）に示すように楽曲Ｍ3 を楽曲Ｍ3 とＭ4 に分割する。ここで、もともとの楽曲Ｍ4 はディバイド処理によりトラックナンバが繰り上り、新たに楽曲Ｍ5 として管理されることになる。
【０１０９】
例えば、Ｕ−ＴＯＣ上のデータとして、テーブルポインタP-TNO3が示しているパーツテーブルのエンドアドレスが書き変えられてディバイド地点で楽曲Ｍ3 が終了するようにし、またテーブルポインタP-TNO4で或る新たなパーツテーブルを指定するようにし、そのテーブルポインタP-TNO4の新たな値により示されるパーツテーブルのスタートアドレス及びエンドアドレスを書き換えて、ディバイドにより生じた新たな楽曲Ｍ4 を表現する。さらに、テーブルポインタP-TNO5にそれまでのテーブルポインタP-TNO4の値を書き込み、もともとの楽曲Ｍ4 を楽曲Ｍ5 として管理することになる。
【０１１０】
このようにディバイド処理を行なうことにより、そのディバイド地点は或る楽曲の曲頭位置として管理されることになり、ＡＭＳ操作により用意にサーチできることになる。
【０１１１】
＜６．ムーブ処理＞
次にムーブ処理について説明する。
例えば図９（ｂ）の状態から、楽曲Ｍ5 を曲順としての先頭にしたい場合を考える。このときユーザーは楽曲Ｍ5 を指定してムーブモードとし、移動先のトラックナンバとしてトラックナンバ１を選択する。
すると、楽曲Ｍ5 はＵ−ＴＯＣ上で新たな楽曲Ｍ1 として管理され、それまでの楽曲Ｍ1 〜Ｍ4 はそれぞれトラックナンバが繰り上って新たな楽曲Ｍ2 〜Ｍ5 とされ、図９（ｃ）の状態となる。
【０１１２】
例えば、Ｕ−ＴＯＣ上のデータとして、テーブルポインタP-TNO1がそれまでテーブルポインタP-TNO5に記録されていた値に書き換えられ、テーブルポインタP-TNO2がそれまでテーブルポインタP-TNO1に記録されていた値に書き換えられ、テーブルポインタP-TNO3がそれまでテーブルポインタP-TNO2に記録されていた値に書き換えられ、テーブルポインタP-TNO4がそれまでテーブルポインタP-TNO3に記録されていた値に書き換えられ、テーブルポインタP-TNO5がそれまでテーブルポインタP-TNO4に記録されていた値に書き換えられることにより、この例のムーブ処理が完了され、以降、再生動作時にはその新たな曲順で再生されることになる。
【０１１３】
＜７．ジョグダイヤルによる入力動作＞
このような本実施例の記録再生装置では、ユーザーはジョグダイヤル４３により各種操作を行なうことができるが、ジョグダイヤル４３はその回動に応じて図１０のようにパルスを発生させ、システムコントローラ１１はこのパルスに応じて回動操作を検知する。
【０１１４】
ジョグダイヤル４３はＡ，Ｂ，Ｃの３端子を備え、Ａ−Ｃ端子間においてＡ相出力をなし、Ｂ−Ｃ端子間においてＢ相出力をなすように構成され、回転方向に応じてＡ，Ｂ各相で位相差パルス出力をなす。
ジョグダイヤル４３が右方向に回転された時のＡ，Ｂ各相の出力は図１０（ａ）のようになり、左方向に回転された時のＡ，Ｂ各相の出力は図１０（ｂ）のようになる。なお、破線はジョグダイヤル４３の回転時のクリック位置を示す（例えば１回転につき約３０クリック）。
【０１１５】
このような位相差パルス出力に対して、システムコントローラ１１は図１１の処理により、回転操作を判別する。
まず、Ａ相出力の立上りエッジを検出したら、そのときにＢ相出力がオフ（Ｌレベル）であるか否かを判別する(F101,F102) 。また、Ａ相出力の立下がりエッジを検出したら、そのときにＢ相出力がオフ（Ｌレベル）であるか否かを判別する(F103,F104) 。
【０１１６】
ここで、ジョグダイヤル４３が右回転されている場合は、図１０（ａ）から分かるように、Ａ相出力の立上り時はＢ相出力がオフとなっており、またＡ相出力の立下がり時はＢ相出力がオンとなっている。従って、ステップF102で肯定結果が得られた場合、及びステップF104で否定結果が得られた場合は、ジョグダイヤル４３は右回転操作がなされていると判別できる。そこで、処理はステップF105に進み、変数をインクリメントする操作として、『＋１』の入力がなされたとする。
【０１１７】
また、ジョグダイヤル４３が左回転されている場合は、図１０（ｂ）から分かるように、Ａ相出力の立上り時はＢ相出力がオンとなっており、またＡ相出力の立下がり時はＢ相出力がオフとなっている。従って、ステップF102で否定結果が得られた場合、及びステップF104で肯定結果が得られた場合は、ジョグダイヤル４３は左回転操作がなされていると判別できる。そこで、処理はステップF106に進み、変数をデクリメントする操作として、『−１』の入力がなされたとする。
【０１１８】
なお、ジョグダイヤル４３が押された場合は、システムコントローラ１１はそのときの動作モードに応じて、エンター操作等がなされたとみなす。
【０１１９】
＜８．ジョグダイヤルによる選曲／ＡＭＳ処理＞
このジョグダイヤル４３は基本的には、ユーザーが選曲／ＡＭＳの操作を行なうために設けられているものであるが、ジョグダイヤル４３に基づく処理として、まず、選曲／ＡＭＳの処理動作について図１２〜図１６で説明する。
【０１２０】
選曲／ＡＭＳ操作については停止中又は再生中（再生一時停止中も含む）に行なわれ、選択されるトラックナンバは表示部３１において表示される。
図１２はジョグダイヤル４３による選曲／ＡＭＳ操作についてのシステムコントローラ１１の処理を示しており、まず、停止中にはステップF201,F202 でジョグダイヤル４３が回動されたか、もしくは押圧されたかを監視している。
【０１２１】
なお、１４曲が録音されているディスクが装填されているとすると、停止中においてトラックナンバの選択がなされていない状態では表示部３１には例えば図１４（ｂ）のような表示がなされている。即ち、ミュージックカレンダー表示部３１Ｃにおいては、１〜１４までのトラックナンバが表示される。なお、動作状態表示部３１Ｍには表示モードに応じて時刻やディスクネーム等も表示される。
【０１２２】
停止中にジョグダイヤル４３が回動されると、処理はステップF203に進み、ジョグダイヤル４３による選曲処理に移る。この処理を図１３に詳しく示す。
右１クリック回動（即ち前記図１１におけるステップF105の処理）が行なわれ、この場合トラックナンバ指定のための変数がインクリメントされるべき操作がなされた場合は(F301)、現在指定しているトラックナンバがラストトラックであるか否かを判別する(F303)。１４曲存在する場合、『１４』がラストトラックのトラックナンバである。そして、ラストトラックでなければ、トラックナンバをインクリメント（＋１）し(F304)、一方ラストトラックであれば、そのままトラックナンバを変更しない。つまり、ジョグダイヤル４３をいくら右回転させても、この場合は１４以上の数値はトラックナンバとして選択できない。
【０１２３】
また、左１クリック回動（即ち前記図１１におけるステップF106の処理）が行なわれ、この場合トラックナンバ指定のための変数がデクリメントされるべき操作がなされた場合は(F302)、現在指定しているトラックナンバがファーストトラックであるか否かを判別する(F305)。つまり、現在選択されているトラックナンバが『１』であるか否かを判別する。そして『１』でなければ、トラックナンバをデクリメント（−１）し(F306)、一方『１』であれば、そのままトラックナンバを変更しない。従ってジョグダイヤル４３をいくら左回転させてもトラックナンバは『１』のままとなる。
【０１２４】
この図１３の処理によりジョグダイヤル４３の１クリック毎にトラックナンバが１つづつ増減されるが、その状態はステップF204において、表示部３１で表現されることになる。即ちステップF204では、そのときステップF203で選択されたトラックナンバを表示し、またミュージックカレンダー内において選択されているトラックナンバを点滅表示させる。例えばトラックナンバ『５』が選択されている時点では表示部３１の表示状態は図１４（ｃ）のようになり、『ＴＲＡＣＫ５』の表示及びミュージックカレンダー内での『５』の点滅表示が行なわれる。
【０１２５】
ジョグダイヤル４３の回動の１クリック毎にステップF203,F204 の処理が行なわれることにより、指定されるトラックナンバは素早く増減され、またそれに伴って表示状態も素早く変化する。
例えばジョグダイヤル４３を５クリック分（例えば１／６回転）だけ回動させた場合は、ステップF203の処理が５回行なわれ、選択されているトラックナンバ、１クリック毎に『１』から『５』まで進み、またステップF204の処理を通る毎に表示部３１におけるミュージックカレンダーは図１５（ａ）→（ｂ）→（ｃ）→（ｄ）のように変化することになる。もちろん、トラックナンバ『５』の状態から左回転されれば、ミュージックカレンダーは図１５（ｄ）→（ｃ）→（ｂ）→（ａ）のように変化していく。なお、動作状態表示部３１Ｍにおけるトラックナンバの表示も１クリック毎に変化することになる。
【０１２６】
従って、ジョグダイヤル４３の回動に伴って表示部３１上で選択されるトラックナンバが提示されることになり、逆にいえばユーザーは表示部３１を見ながらジョグダイヤル４３の回転量を調節し、もしくは左右に回転を行なって、所望のトラックナンバを選択できる。
【０１２７】
停止中にジョグダイヤル４３が押圧された場合は、処理はステップF205に進み、まずその時点で選曲がなされているか否かを判別する。そして上記のようにジョグダイヤル４３の回転操作により或るトラックが選曲されていれば、ステップF207に進み、システムコントローラ１１はそのトラックの曲頭位置に光学ヘッド３をアクセスさせ、再生を開始させる。一方、選曲がなされていない場合、つまり停止中においてジョグダイヤル４３が回動されずに、いきなり押された場合は、第１曲目が選曲されているとみなし(F206)、トラック１から再生を開始する(F207)。つまり、この場合通常の再生キーとして機能することになる。
【０１２８】
次に、再生中にもシステムコントローラ１１はジョグダイヤル４３が回動されたか、或は押圧されたかを監視している(F208,F209) 。
なお、再生中の表示部３１の表示状態は例えば図１４（ａ）のようになる。この例は第７曲目の３分４１秒の位置の再生が行なわれている時点の表示状態であり、ミュージックカレンダー表示部３１においては、現在再生中のトラックのトラックナンバである『７』から最終トラックの『１４』までの表示が行なわれている。また動作状態表示部３１Ｍにおいては、再生中のトラックナンバとして『ＴＲＡＣＫ  ７』の表示と演奏進行時間である『０３：４１』の表示、及び再生動作を示すマークＭPBの表示が行なわれている。なお、表示モードに応じて演奏進行時間に変えて曲名やトータル演奏時間など他の表示が行なわれる場合もある。
【０１２９】
再生中にジョグダイヤル４３が回動された場合は、処理はステップF211に進み、上記ステップF203の場合と同様に図１３の処理による選曲処理を行なう。そして、選曲処理によるトラックナンバの増減に伴って、ステップF212で選択されたトラックナンバを提示するための表示処理が行なわれる。
【０１３０】
例えば第７曲目が再生されている時にジョグダイヤル４３が右方向に回動操作されたとすると、その１クリック毎にステップF211で選択されるトラックナンバがインクリメントされ（この場合１４曲が録音されているため最大１４までインクリメント）、またその１クリック毎にステップF212の表示処理で、ミュージックカレンダーは図１６（ｅ）の状態から（ｆ）→（ｇ）→（ｈ）→・・・・→（ｉ）と変化していく。
【０１３１】
また例えば第７曲目が再生されている時にジョグダイヤル４３が左方向に回動操作されたとすると、その１クリック毎にステップF211で選択されるトラックナンバがデクリメントされ、またその１クリック毎にステップF212の表示処理で、ミュージックカレンダーは図１６（ｅ）の状態から（ｄ）→（ｃ）→・・・・→（ｂ）→（ａ）と変化していく。
【０１３２】
なお、この際の動作状態表示部３１Ｍにおけるトラックナンバの表示（図１４（ａ）の『ＴＲＡＣＫ  ７』）は、ジョグダイヤル４３の１クリック回動に合わせて変化させてもよいが、実際にＡＭＳアクセスが実行される（ステップF214）までのジョグダイヤル４３を回転させている期間はそのまま再生を継続しているようにする場合は、そのまま現在の再生トラックのトラックナンバを表示しておくようにしてもよい。
【０１３３】
再生中のミュージックカレンダー表示は、そのとき再生している（指定されている）トラックナンバ以降のトラックナンバを表示させるものであり、通常の再生中は１曲の演奏が終る毎に、そのトラックナンバが消されていくものである。そして、再生中にジョグダイヤル４３が回動された場合は、ミュージックカレンダーとして図１６のように１クリック分の回動に伴って素早く各時点で指定されるトラックナンバ以降のトラックナンバが表示される。従って、ユーザーは表示部３１を見ながらジョグダイヤル４３を左右に回転させて所望のトラックナンバが選択されるように操作を行なうことができる。
【０１３４】
そして、ユーザーが所望のトラックナンバを選択する回転操作を終了させたら、操作はリリースされたとみなし、ステップF213からF214に進んで、その選択されたトラックナンバのトラックの曲頭位置に光学ヘッド３をアクセスさせ、再生を開始させる(F207)。なお、リリースの判断は、回転操作が所定時間以上なされないことを確認したら、これをリリースと見なすようにすればよい。もしくは、ジョグダイヤル４３の回動終了後の所定時間以内にジョグダイヤル４３が押圧された場合は、これをＡＭＳの実行とみなしてステップF214に進むようにしてもよい。
【０１３５】
この処理により、ユーザーはトラックナンバとして離れている楽曲の頭だしを行ないたい場合も、表示部３１をみながらジョグダイヤル４３を回転させてそのトラックナンバが選択されるようにするだけでよく、そのトラックナンバに到達するまで何度もＡＭＳキーを押すという従来の操作方法に比べて著しく操作性が改善される。
【０１３６】
再生中において、ジョグダイヤル４３が押圧された場合は、ステップF215に進み、再生一時停止状態とする。つまり、一時停止キーと兼用する再生キー３５を押した状態と同様の処理が行なわれる。そして、再生一時停止状態から再びジョグダイヤル４３が押圧されたら、再生動作を再開する(F216,F217) 。
再生が終了した場合は、ステップF210からF218に進み、停止処理を行なう。停止後は、ジョグダイヤル４３の操作については再びステップF201〜F206の処理が行なわれることになる。
【０１３７】
なお、説明の簡略化のためにこの図１２にフローチャートには示していないが、再生キー３５により再生状態（もしくは一時停止状態）となった場合でも、同様にジョグダイヤル４３の操作に基づく処理は行なわれる。
【０１３８】
また、再生一時停止中においても、ジョグダイヤル４３を回動させればＡＭＳ選曲（ステップF211,F212,F213,F214,F207と同様の処理）を行なうことができる。この場合は、ジョグダイヤル４３の回動による選曲操作がリリースされた後、その選曲されたトラックの曲頭位置に光学ヘッドをアクセスさせ、その地点で一時停止状態となるようにする。そして、ジョグダイヤル４３が押圧されることで一時停止が解除され、その選曲されたトラックの再生が開始されるようにすればよい。
【０１３９】
＜９．ジョグダイヤルによる時計設定処理＞
次にジョグダイヤル４３を用いてユーザーが内部時計の設定を行なう場合の処理について図１７、図１８で説明する。図１７は時計設定処理のためのシステムコントローラ１１の処理を示すフローチャートであり、図１８は時計設定処理の際の表示動作の説明図である。
【０１４０】
ユーザーが内部の時計手段１１ａの設定（時刻合わせ）を行なうには図１に示した時計設定キー４２を押して日時設定モードとし、その後ジョグダイヤル４３を用いて操作を行なうことになる。
即ち、時計設定キー（クロックキー）４２が押されることにより図１７のステップF401,F402 のループから、時計設定処理ルーチンに入る (F401→F403) 。
そしてまず、表示部３１において図１８（ａ）のように年表示を点滅させ、ユーザーに年となる値の入力を促す。このときの数値は初期値『００』又はその時点での時計手段１１ａにおける日時数値となる。
【０１４１】
ここで、システムコントローラ１１はジョグダイヤル４３の右又は左への回動操作を監視し(F404,F405) 、右へ１クリック回動される毎に年表示となる数値をインクリメントしていく(F406)。また左へ１クリック回動される毎に年表示となる数値をデクリメントしていく(F407)。つまりユーザーは表示部３１を見ながらジョグダイヤル４３を回動させて『年』を合わせる。例えば１９９３年であれば年表示を『９３』とするように操作を行なう。そして、数値を合わせた時点でユーザーはその決定操作としてジョグダイヤル４３を押圧する。すると、表示されている『年』がエンターされ、ステップF408からF409に進み、図１８（ｂ）のように表示部３１において、年表示が決定されたとして年表示の点滅を終らせ、今度は月表示を点滅させる。
【０１４２】
ここでシステムコントローラ１１は再びジョグダイヤル４３の回動操作を監視する(F410,F411) 。そして右へ１クリック回動される毎に月表示となる数値をインクリメントしていき(F412)、また左へ１クリック回動される毎に年表示となる数値をデクリメントしていく(F413)。つまりユーザーは表示部３１を見ながらジョグダイヤル４３を回動させて『月』を合わせる。そして、例えば現在が４月であれば、月表示を『０４』とした時点でユーザーはジョグダイヤル４３を押圧し、月入力をエンターする(F414)。すると、ステップF415に進み、表示部３１の表示は、図１８（ｃ）のように月表示の点滅が終了され、今度は日表示が点滅され、月入力処理に移る。
【０１４３】
月入力処理においてもジョグダイヤル４３の回動操作が監視される(F416,F417) 。そして右へ１クリック回動される毎に日表示となる数値をインクリメントしていき(F418)、また左へ１クリック回動される毎に年表示となる数値をデクリメントしていく(F419)。ただし、この場合、年及び月が既に決定されているため、日の数値と同時に曜日も決定される。従って、日の数値のインクリメント又はデクリメントとともに曜日もインクリメント又はデクリメントされる。
例えば現在４月２３日であれば、日表示を『２３』とした時点でユーザーはジョグダイヤル４３を押圧し、日入力をエンターする(F420)。
【０１４４】
すると処理はステップF421に進み、日及び曜日が決定され、表示部３１の表示は、図１８（ｄ）の表示がなされた後、年月日表示から曜日及び時分秒表示に切り換わり、図１８（ｅ）のように決定された曜日を表示するとともに時表示を点滅させてユーザーに時入力を促す。そして、ユーザーのジョグダイヤル４３の回動操作に応じて時をインクリメント又はデクリメントしていく(F422,F423,F424,F425) 。そして、例えば『ＡＭ９』に合わせてジョグダイヤル４３が押圧されると、時入力がエンターされ、処理はステップF426からF427に進み、表示は図１８（ｆ）のように時表示の点滅が終わり、分表示が点滅される。
【０１４５】
ユーザーはこれに対して同様にジョグダイヤル４３を回動させて分をインクリメント又はデクリメントし(F428,F429,F430,F431) 、例えば９時１０分に合わせる場合は、分を『１０』とする。そして例えば９時１０分の時報などに合わせてジョグダイヤル４３を押圧して分入力をエンターする(F432)。
すると時計設定のための入力操作は終了することになり、まず図１８（ｇ）のように設定された年月日の表示が所定時間なされ(F432)、つづいて図１８（ｈ）のように設定された曜日及び時刻の表示がなされる。なお、もちろん秒の表示がなされてもよい。
【０１４６】
以上のように時計設定モードとした後はユーザーはジョグダイヤル４３を操作するのみで日時設定操作を行なうことができる。
なお、最終的な入力エンター（即ちステップF432のエンター操作）には時計設定キー４２を用いるようにしてもよい。
【０１４７】
＜１０．ジョグダイヤルによる文字入力処理＞
上述したように本実施例の記録再生装置はディスク１のＵ−ＴＯＣセクター１に対して例えばトラックやディスクに対応して曲名等の任意の文字を書き込むことができる。この文字入力操作もジョグダイヤル４３を用いて行なうことができる。ジョグダイヤル４３による文字入力処理について図１９、図２０で説明する。図１９は文字入力処理のためのシステムコントローラ１１の処理を示すフローチャートであり、図２０は文字入力処理の際の表示動作の説明図である。
【０１４８】
停止中、再生中、一時停止中などにユーザーがエディットキー４０を操作してネームインモードとすることにより図１９の処理が開始される(F501)。
ネームインモードとなるとシステムコントローラ１１は、まず、その時点で特定の楽曲（トラック）が上述した選曲操作により選択されているか（ただし、再生中であればその再生中のトラックが選択されているとする）否かを判断する(F502)。そして、選曲されていればその選曲されているトラックに対して曲名等を書き込むトラックネーム入力モードとするため、表示部３１において図２０（ａ）のように確認表示を行なう(F503)。なお、この表示は、第３曲目の再生中にネームインモードとされた場合の例である。
【０１４９】
一方、停止中にネームインモードとされ、選曲操作もされていなければ装填されているディスクに対してディスクタイトル等を書き込むディスクネーム入力モードとするため、表示部３１において図２０（ｂ）のように確認表示を行なう(F504)。
【０１５０】
これらの確認表示に対してユーザーがエンターキー（イエスキー）４１を押すことによりトラックネーム入力モード又はディスクネーム入力モードの処理が開始される(F505)。そして表示部３１は図２０（ｃ）のようなネーム入力用の表示となる(F506)。ネーム入力用の表示としては図示するように入力桁を示すカーソルが点滅表示される。
【０１５１】
ここで、システムコントローラ１１はジョグダイヤル４３の右又は左への回動操作を監視し(F507,F508) 、右へ１クリック回動される毎に文字コードをインクリメントしていく(F509)。また左へ１クリック回動される毎に文字コードをデクリメントしていく(F510)。文字コードとしては例えばアスキーコードとしてアルファベットの大文字、小文字、数字、及び各種記号が用意されて特定の順序で並べられており、インクリメント、デクリメント操作により順次表示部３１のカーソル上に表われるようになされる。
【０１５２】
そしてユーザーは表示部３１を見ながらジョグダイヤル４３を回動させて或る文字をカーソル上に表示させ、その時点で文字決定（桁送り）操作としてジョグダイヤル４３を押圧する。すると、表示されている文字が入力としてエンターされ、ステップF511からF512に進み、そのエンターされた文字は桁送りされてカーソル上は再び空白となる。このステップF507〜F512の処理はエンターキー４１が押されるまで繰り返され、この間にユーザーはジョグダイヤル４３を用いて各桁に文字を入力していく。
【０１５３】
そして、例えば図２０（ｅ）のように『ＤＩＡＲＹ』という５文字を入力した時点でエンターキー４１を押したとすると、処理はステップF513からF514に進み、入力された文字列が確定されたとして表示は図２０（ｆ）の状態となる。そして、確定された文字列をＵ−ＴＯＣセクター１に書き込む。例えば第３曲目の楽曲に対するトラックネーム入力モードの処理であったら、Ｕ−ＴＯＣセクター１におけるテーブルポインタP-TNA3から導かれるパーツテーブルにおいて『ＤＩＡＲＹ』という文字がアスキーコードで書き込まれることになる。
【０１５４】
このように書き込まれた文字は例えば第３曲目の再生中などにおいて表示部３１に表示される。
このように本実施例ではジョグダイヤル４３を用いて容易に文字入力を行なうことができる。
【０１５５】
＜１１．ジョグダイヤルによるプログラム指定入力処理＞
次にプログラム再生を行なう際のプログラム入力（曲順指定）をジョグダイヤル４３を用いて行なう場合の処理について図２１、図２２で説明する。図２１はプログラム入力のためのシステムコントローラ１１の処理を示すフローチャートであり、図２２はプログラム入力処理の際の表示動作の説明図である。
【０１５６】
ユーザーがプレイモードキー３９を操作してプログラム再生モードとすることにより、ステップF601,F602 のループから曲順入力のための図２１の処理に移行する (F601→F603) 。
ここでシステムコントローラ１１は、現在再生中（再生一時停止中を含む）であるか否かを判断する。
【０１５７】
停止中であったら処理はステップF618に進む。停止中にプログラム再生モードとされた場合の表示部３１の表示は例えば図２２（ａ）のようになり、モード表示として『ＰＲＯＧＲＡＭ』という表示がなされる。なお、装填されているディスクには１４曲録音されていると仮定すると、ミュージックカレンダーとして１〜１４のトラックナンバが表示される。
【０１５８】
ここで、システムコントローラ１１はジョグダイヤル４３の右又は左への回動操作を監視し(F618,F619,F620)、右へ１クリック回動される毎にステップF621に進み、現在指定されているトラックナンバがラストトラックのトラックナンバ（例えばこの場合『１４』）か否かを判別する。ラストトラックのトラックナンバでなければ、１クリック毎に指定されるトラックナンバをインクリメントしていく(F622)。
ラストトラックを指定している時点でさらに右に１クリックされた場合は、トラックナンバを『１』とする(F623)。
【０１５９】
一方、ジョグダイヤル４３が左へ回動されると、１クリック回動される毎にステップF624に進み、現在指定されているトラックナンバがファーストトラックのトラックナンバ、つまり『１』であるか否かを判別する。トラックナンバが『１』でなければ、１クリック毎に指定されるトラックナンバをデクリメントしていく(F625)。指定されるトラックナンバが『１』であった時にさらに左に１クリックされた場合は、トラックナンバをラストトラックのトラックナンバ（この場合『１４』）とする(F626)。
【０１６０】
このようなジョグダイヤル４３の回動操作における１クリック毎にトラックナンバが増減されるたびに、ステップF627の処理で選択されているトラックナンバが表示部３１において提示される。例えば指定されるトラックナンバが『３』とされている場合は、図２２（ｂ）のように表示部３１におけるミュージックカレンダーでは『３』の表示が点滅される。なお、トラックナンバの選択操作（即ちジョグダイヤル４３の回動操作）が開始された以降は、選択されているナンバ以外のトラックナンバの表示はミュージックカレンダーから消されている。
また、そのトラックまでの演奏時間（プログラム入力された楽曲の総演奏時間）も表示される。
【０１６１】
このようにジョグダイヤル４３を回動させてトラック選択を行なった後、ユーザーはジョグダイヤル４３を押圧すると、そのときの選択トラックが入力エンターされ、表示部３１のミュージックカレンダー内の選択トラックナンバは、点滅状態から点灯状態となり、例えば図２２（ｃ）のようになる (F628→F629) 。
そして、この記録再生装置がプログラム指定として２５曲までの指定が可能とされているとすると、既に２５曲がセットされたか否かを判別し(F630)、２５曲未満であれば、そのエンターされたトラックナンバをＲＡＭ（例えばシステムコントローラ１１の内部ＲＡＭ）にプログラムトラックとして記憶させる(F631)。
【０１６２】
ここで、再生操作（再生キー３５の操作もしくは再度のジョグダイヤル４３の押圧操作）がなされずに再び、ジョグダイヤル４３が回動されると、次の曲の選択操作に入り (F632→F618) 、同様にジョグダイヤル４３の回動及び押圧操作によるプログラム入力が行なわれる。例えば次にトラックナンバ１０がプログラム入力する場合、ミュージックカレンダーでは『３』の点灯に加えてジョグダイヤル４３の回動により『１０』が点滅されように操作を行なう。そして、ジョグダイヤル４３を押圧することにより『１０』が入力エンターされる。なお、このときのトータル演奏時間表示としては３曲目と１０曲目の演奏時間を加算した数値となる。
【０１６３】
例えばトラックナンバ３の次にトラックナンバ１０がプログラム入力された段階で再生操作されると、処理はステップF632からF617に進み、プログラム再生動作が開始される。この場合、表示部３１は図２２（ｄ）のようになり、ミュージックカレンダーとしてはプログラム指定された『３』と『１０』が表示される。そして先ず第３曲目が再生されることになり、例えばその３曲目が再生中である表示がなされ、また曲名表示（もしくは再生進行時間など）がなされる。
【０１６４】
再生中にプログラム再生モードとされた場合は、ステップF604〜F616の処理が実行される。
この場合も、システムコントローラ１１はジョグダイヤル４３の右又は左への回動操作を監視し(F604,F605,F606)、右へ１クリック回動される毎にステップF607に進み、現在指定されているトラックナンバがラストトラックのトラックナンバ（例えばこの場合『１４』）か否かを判別する。ラストトラックのトラックナンバでなければ、１クリック毎に指定されるトラックナンバをインクリメントしていく(F608)。
【０１６５】
ラストトラックを指定している時点で右に１クリックされた場合は、トラックナンバのインクリメントは行なわない。つまり、ジョグダイヤル４３をいくら右に回してもこの場合トラックナンバは『１４』までしかインクリメントされない。
【０１６６】
一方、ジョグダイヤル４３が左へ回動されると、１クリック回動される毎にステップF609に進み、現在指定されているトラックナンバがファーストトラックのトラックナンバ、つまり『１』であるか否かを判別する。トラックナンバが『１』でなければ、１クリック毎に指定されるトラックナンバをデクリメントしていく(F610)。指定されるトラックナンバが『１』であった時に左に１クリックされた場合は、そのままトラックナンバをデクリメントしない。
【０１６７】
このようなジョグダイヤル４３の回動操作における１クリック毎にトラックナンバが増減されるたびに、ステップF611の処理で選択されているトラックナンバが表示部３１において提示される。また、また、そのトラックまでの演奏時間（プログラムされた楽曲の総演奏時間）も表示される。
【０１６８】
このようにジョグダイヤル４３を回動させてトラック選択を行なった後、ユーザーはジョグダイヤル４３を押圧すると、そのときの選択トラックが入力エンターされ、表示部３１のミュージックカレンダー内の選択トラックナンバは、点滅状態から点灯状態となる (F612→F613) 。
そして、既に２５曲がセットされたか否かを判別し(F614)、２５曲未満であれば、そのエンターされたトラックナンバをＲＡＭにプログラムトラックとして記憶させる(F615)。
【０１６９】
ここで、再生操作（再生キー３５の操作もしくは再度のジョグダイヤル４３の押圧操作）がなされずに再び、ジョグダイヤル４３が回動されると、次の曲の選択操作に入り (F616→F604) 、同様にジョグダイヤル４３の回動及び押圧操作によるプログラム入力が行なわれる。
そして、プログラム入力がエンターされた後の時点で再生操作されると、処理はステップF616からF617に進み、それまで入力されていたトラックナンバ順にプログラム再生動作が開始される。
【０１７０】
このように本実施例では、プログラム指定操作もジョグダイヤル４３を用いて容易に実行できる。特にトラックナンバとして離れているナンバを選択する際も迅速に行なうことができる。
また、この例では停止中のプログラム入力はジョグダイヤル３の回動に伴ってトラックナンバがリング状に回って選択できるようにしている。つまり、右回動の場合ラストトラックの次のクリックで『１』に戻るようにし、また左回動の場合『１』の次にラストトラックとなるようにしている。このため、操作性はより向上する。もちろんこの方式を再生中のプログラム入力処理においてステップF607〜F610の処理に代えて採用してもよい。
【０１７１】
＜１２．ジョグダイヤルによるディバイド処理＞
次にジョグダイヤルによるディバイド処理について図２３〜図２５で説明する。図２３はディバイド処理のためのシステムコントローラ１１の処理を示すフローチャートであり、図２４はディバイド処理の際の表示動作の説明図である。また図２５はディバイド動作の際のリハーサル再生の説明図である。
【０１７２】
ユーザーがエディットキー４０を操作してディバイドモードとすることにより図２３の処理が開始される(F701)。ただし、この実施例の場合、ディバイド処理は再生中（再生一時停止中を含む）のみに可能であるものとして説明する。なお説明は省略するが、録音中や停止中にディバイド処理を実行可能とすることも可能である。
【０１７３】
ディバイドモードとなるとシステムコントローラ１１は、まず、その時点で或る楽曲（トラック）が再生中（もしくは再生一時停止中）であるか否かを判断する(F702)。再生中でなければディバイド処理は実行されない。
再生中であれば、ディバイドモードの処理を実行することの確認表示を行なう。例えば４曲目の再生中であったとすると、表示部３１において図２４（ａ）のように確認表示を行なう(F703)。
【０１７４】
この確認表示に対してユーザーがエンターキー（イエスキー）４１を押すことによりディバイドモードの処理が開始される(F704)。この場合、エンターキー４１が押された時点の再生位置がディバイド地点とされる。
そしてそのディバイド地点を確定させてディバイド（トラック分割）を実行してよいかをユーザーに確認させるため、リハーサル再生を開始する(F705)。
【０１７５】
リハーサル再生とはディバイド地点から所定時間再生を行なって、ユーザーがその再生音声からディバイド地点を確認し、場合によってはディバイド地点を変更させるための動作である。
例えば図２５のようにトラック４のセグメントを示してリハーサル再生を説明する。トラックＭ4 のセグメントにおいて破線の範囲が１セクターを示している。ここで、ステップF704のユーザーのエンターキー４１の操作が、図中ＤＰで示すセクターＳＣn の地点で行なわれたとする。つまり、ＤＰがディバイド位置とされる。
すると、リハーサル再生としては、このセクターＳＣn から所定期間の再生を実行するものであり、例えばセクターＳＣn からセクターＳＣm までを繰り返し再生することになる。
【０１７６】
このリハーサル再生を実行している期間は、表示部３１において図２４（ｂ）のようにリハーサル再生実行中を示す『Ｒｅｈｅａｒｓａｌ』の表示と、その分割されるトラックのトラックナンバがミュージックカレンダー内で点滅表示される(F706)。
【０１７７】
また、図２４（ｃ）のようにリハーサル再生で確認されるディバイド位置でディバイドを実行してもよいかどうかをユーザーに尋ねるため、『Ｐｏｓｉｔｉｏｎ  ｏｋ  ？』という表示も行なう(F707)。なお、この際にディバイド位置を変更したい場合の操作ガイドとして、図２４（ｄ）のようにジョグダイヤル４３の回転操作を促す表示を行なうことが好ましい。
【０１７８】
リハーサル再生中の処理はステップF706→F707→F708→F709→F714→F706のループが実行され、従って図２４（ｂ）の表示と（ｃ）及び又は（ｄ）の表示が交互になされるとともに、ジョグダイヤル４３の回動操作もしくは押圧操作の監視が行なわれる。
【０１７９】
もしセクターＳＣn からのリハーサル再生で確認された位置でディバイド実行してよいとユーザーが判断した場合は、ディバイド実行の指示の操作としてジョグダイヤル４３を押圧する。すると処理はステップF715に進み、ディバイド位置が決定され、ディバイド処理のためにバッファＲＡＭ１３内に保持しているＵ−ＴＯＣを書き換える。つまり、楽曲Ｍ4 がセクターＳＣn-1 までと、セクターＳＣn 以降とで２つのトラックに分けられる。書き換えられるＵ−ＴＯＣ内容は前述したとおりである。
【０１８０】
そして書き換え際にディバイド処理動作の実行を表示部３１において図２４（ｇ）のように『Ｃｏｍｐｌｅｔｅ』と表示し、また楽曲Ｍ4 が新たに楽曲Ｍ4 とＭ5 に分けられることにともなって、ミュージックカレンダー内でトラックナンバ『４』『５』を点滅表示させる(F716)。
そしてディバイド完了に伴ってディバイドモードを脱する。
【０１８１】
ところで、リハーサル再生でのディバイド位置確認によりユーザーがディバイド位置を変更させたいと思った場合は、ユーザーはジョグダイヤル４３を回動させてディバイド位置変更操作を行なう。
【０１８２】
つまりリハーサル再生中にジョグダイヤル４３が右に１クリック回転される毎に処理はステップF710に進み、ディバイド地点を＋１セクター変更する。そして、その変更処理に応じて図２４（ｅ）のようにディバイド地点変更表示（例えば『＋０１』）を行なう(F711)。
例えば＋１セクター分だけ変更されディバイド地点が図２５のＤＰ+1の位置とされた場合、その時点からリハーサル再生としてはセクターＳＣn+1 からセクターＳＣm+1 までを繰り返し再生させるように行なわれる。そして、このリハーサル再生を行ないながらステップにF706、F707の表示（図２４（ｂ）（ｃ）（ｄ）の表示）でユーザーにディバイド地点の可否を尋ねることになる。
【０１８３】
また、ＤＰのディバイド地点からのリハーサル再生中にジョグダイヤル４３が左に１クリック回転されると処理はステップF712に進み、ディバイド地点を−１セクター変更する。そして、その変更処理に応じて図２４（ｆ）のようにディバイド地点変更表示（例えば『−０１』）を行なう(F713)。
そして、例えば−１セクター分だけ変更されディバイド地点が図２５のＤＰ-1の位置とされた場合、リハーサル再生はセクターＳＣn-1 からセクターＳＣm-1 までを繰り返し再生させるように行なわれる。そして、このリハーサル再生を行ないながらステップにF706、F707の表示（図２４（ｂ）（ｃ）（ｄ）の表示）でユーザーにディバイド地点の可否を尋ねることになる。
【０１８４】
つまり、ディバイド処理の際に必要に応じてユーザーはジョグダイヤル４３を回転させてディバイド位置を調節し、ディバイド位置ＯＫであればジョグダイヤル４３を押圧する操作を行なうことになる。
【０１８５】
ディバイド位置の調整をジョグダイヤル４３の回転操作で行なうことにより、その操作は容易となり、またディバイド位置を比較的大きく変更したい場合も回転量を大きくすればよいため、操作が面倒になることもない。また回転量でディバイド位置変更量を設定できるため感覚的にもわかりやすい。そしてディバイド位置決定にはジョグダイヤル４３を押せばよいため、他のキーの操作を必要とせず操作は簡便となる。
なお、ジョグダイヤル４３の１クリックによるディバイド位置変更量は例えば２セクターもしくはそれ以上の単位にしてもよい。（１セクターは約６０msecの再生音声に相当）
【０１８６】
＜１３．ジョグダイヤルによるムーブ処理＞
次にジョグダイヤルによるムーブ処理について図２６，図２７で説明する。図２６は、ムーブ処理のためのシステムコントローラ１１の処理を示すフローチャートであり、図２７はムーブ処理の際の表示動作の説明図である。
【０１８７】
ユーザーがエディットキー４０を操作してムーブモードとすることにより図２６の処理が開始される(F801)。ムーブモードの際にはシステムコントローラ１１は、まず、その時点で或る楽曲（トラック）が再生中（もしくは再生一時停止中）であるか、もしくは停止中であっても上述したジョグダイヤル４３の選曲操作により既に特定のトラックが選択されており、ムーブ対象となるトラックが特定されているか否かを判断する(F802)。選曲されていなければムーブ処理は実行されない。
【０１８８】
選曲されていれば、ムーブモードの処理を実行することの確認表示を行なう。例えば３曲目が再生されているときにムーブモードとされた場合を例にあげると、表示部３１において図２７（ａ）のように確認表示を行なう(F803)。
【０１８９】
この確認表示に対してユーザーがエンターキー（イエスキー）４１を押すことによりムーブモードの処理が開始される(F804)。そして、図２７（ｂ）のようにムーブ対象となるトラック（移動トラック）のトラックナンバを表示するとともに、移動先のトラックナンバを選択させるために点滅させる(F805)。
【０１９０】
この状態でジョグダイヤル４３の回動操作もしくは押圧操作の監視が行なわれる(F806,F807,F808)。
そしてユーザーはジョグダイヤル４３を回動させて移動先のトラックナンバを選択する。つまりジョグダイヤル４３が右に１クリック回転される毎に処理はステップF809に進み、移動先として指定されるトラックナンバをインクリメントし、またジョグダイヤル４３が左に１クリック回転される毎に処理はステップF810に進み、移動先として指定されるトラックナンバをデクリメントする。そして、選択されている移動先トラックナンバはステップF805において図２７（ｃ）のように点滅状態で表示されることになる。
【０１９１】
例えばトラック３をトラック５となるように移動させたい場合、移動先トラックナンバを『５』とした時点でユーザーはジョグダイヤル４３を押圧する。すると処理はステップF806からF811に進み、ムーブ先が決定され、ムーブ処理のためにバッファＲＡＭ１３内に保持しているＵ−ＴＯＣを書き換える。書き換えられるＵ−ＴＯＣ内容は前述したとおりである。
【０１９２】
そして書き換え際にムーブ処理動作の実行を表示部３１において図２７（ｄ）のように『Ｃｏｍｐｌｅｔｅ』と表示する(F812)。またこの表示例は第３曲目の再生中にムーブ処理がなされた場合の例であるが、ムーブ処理により現在再生している第３曲目は新たに第５曲目となるため、ミュージックカレンダーはトラックナンバとして『５』以降を表示することになる。
そしてムーブ完了に伴ってムーブモードを脱する。
【０１９３】
このように、ムーブ処理の際に必要に応じてユーザーはジョグダイヤル４３を回転させて移動先を選択し、ジョグダイヤル４３を押圧することでムーブ実行操作を行なうことになり、ジョグダイヤル４３の回転操作でトラックナンバを選択するため大きく移動させたい場合も容易となる。またムーブ実行にも他のキーの操作を必要とせず操作は簡便となる。
【０１９４】
なお、以上本発明の一実施例を説明してきたが、この実施例における構成や処理方式において各種変形例は考えられる。もちろんジョグダイヤルをさらに他の操作に用いることもできる。
また、記録再生装置として説明したが、再生専用装置であっても本発明は実現できる。
さらに、ミニディスクシステムに限らず、他のオーディオディスクシステムにおける再生装置、ビデオディスクシステムおける再生装置、さらに磁気テープ、光テープ等のテープメディアの再生装置においても採用できる。
【０１９５】
【発明の効果】
以上説明したように本発明は、回動操作及び押圧操作が可能とされた操作手段（ジョグダイヤル）を設けることにより、回動量に応じて入力値を設定でき、従って移動させるトラックのトラックナンバや移動先のトラックナンバなどをユーザーは容易に選択、指定できる。さらに、このジョグダイヤルを押すことでエンター操作とすれば、ユーザーは移動先の決定の際に他のキー等を操作する必要はなく、操作は簡便となる。つまり、ユーザーはジョグダイヤルを回して値を選択した後、エンターする場合はそのままそのジョグダイヤルを押せばよく、操作性を著しく向上させることができるという効果がある。
また移動先のトラックナンバの選択を回転操作で行うことができるようにすることで、感覚的にも分かり易い操作となる。
【図面の簡単な説明】
【図１】本発明の実施例の記録再生装置の正面図及び表示部の説明図である。
【図２】実施例の記録再生装置の要部のブロック図である。
【図３】実施例の記録再生装置に用いられるリモートコマンダーの平面図である。
【図４】ディスクにおけるＰ−ＴＯＣセクター０の説明図である。
【図５】ディスクにおけるＵ−ＴＯＣセクター０の説明図である。
【図６】ディスクにおけるＵ−ＴＯＣセクターのリンク構造の説明図である。
【図７】ディスクにおけるＵ−ＴＯＣセクター１の説明図である。
【図８】ディスクにおけるＵ−ＴＯＣセクター２の説明図である。
【図９】ディスクのエリア構造及びディバイド処理／ムーブ処理の説明図である。
【図１０】実施例のジョグダイヤルによる入力信号の説明図である。
【図１１】実施例のジョグダイヤルによる入力処理のフローチャートである。
【図１２】実施例のジョグダイヤルによる選曲／ＡＭＳ処理のフローチャートである。
【図１３】実施例のジョグダイヤルによる選曲処理のフローチャートである。
【図１４】実施例のジョグダイヤルによる選曲／ＡＭＳ処理の際の表示動作の説明図である。
【図１５】実施例の停止中のジョグダイヤルによる選曲／ＡＭＳ処理の際のミュージックカレンダー表示動作の説明図である。
【図１６】実施例の再生中のジョグダイヤルによる選曲／ＡＭＳ処理の際のミュージックカレンダー表示動作の説明図である。
【図１７】実施例のジョグダイヤルによる時計設定処理のフローチャートである。
【図１８】実施例のジョグダイヤルによる時計設定処理の際の表示動作の説明図である。
【図１９】実施例のジョグダイヤルによる文字入力処理のフローチャートである。
【図２０】実施例のジョグダイヤルによる文字入力処理の際の表示動作の説明図である。
【図２１】実施例のジョグダイヤルによるプログラム選曲処理のフローチャートである。
【図２２】実施例のジョグダイヤルによるプログラム選曲処理の際の表示動作の説明図である。
【図２３】実施例のジョグダイヤルによるディバイド処理のフローチャートである。
【図２４】実施例のジョグダイヤルによるディバイド処理の際の表示動作の説明図である。
【図２５】実施例のディバイド処理の際のリハーサル再生動作の説明図である。
【図２６】実施例のジョグダイヤルによるムーブ処理のフローチャートである。
【図２７】実施例のジョグダイヤルによるムーブ処理の際の表示動作の説明図である。
【図２８】ディスクの記録トラックの説明図である。
【図２９】ディスクの記録トラックのセクター構成の説明図である。
【符号の説明】
１  ディスク、３  光学ヘッド、８  エンコーダ／デコーダ部、１１  システムコントローラ、１１ａ  時計手段、１２  メモリコントローラ、１３  バッファＲＡＭ、１４  エンコーダ／デコーダ部、１５  Ｄ／Ａ変換器、１８  Ａ／Ｄ変換器、１９  操作入力部、３０  記録再生装置、３１  表示部、３１Ｍ  動作状態表示部、３１Ｃ  ミュージックカレンダー表示部、３１Ｌ  レベル表示部、３３  録音キー、３４  停止キー、３５  再生キー、３６  イジェクトキー、３９  プレイモードキー、４０  エディットキー、４１  エンターキー、４２  時計設定キー、４３  ジョグダイヤル
【図１】
0003844642.tif 000002
【図２】
0003844642.tif 000003
【図３】
0003844642.tif 000004
【図４】
0003844642.tif 000005
【図５】
0003844642.tif 000006
【図６】
0003844642.tif 000007
【図７】
0003844642.tif 000008
【図８】
0003844642.tif 000009
【図９】
0003844642.tif 000010
【図１０】
0003844642.tif 000011
【図１１】
0003844642.tif 000012
【図１２】
0003844642.tif 000013
【図１３】
0003844642.tif 000014
【図１４】
0003844642.tif 000015
【図１５】
0003844642.tif 000016
【図１６】
0003844642.tif 000017
【図１７】
0003844642.tif 000018
【図１８】
0003844642.tif 000019
【図１９】
0003844642.tif 000020
【図２０】
0003844642.tif 000021
【図２１】
0003844642.tif 000022
【図２２】
0003844642.tif 000023
【図２３】
0003844642.tif 000024
【図２４】
0003844642.tif 000025
【図２５】
0003844642.tif 000026
【図２６】
0003844642.tif 000027
【図２７】
0003844642.tif 000028
【図２８】
0003844642.tif 000029
【図２９】
0003844642.tif 000030